(57)【要約】【課題】  遊技機毎の連続大当り状態による遊技データの偏りを容易に理解でき、営業計画に沿った遊技機間の差異と予測を容易にする。【解決手段】  遊技用管理装置５０ａが、遊技機毎に所定期間における大当り状態の発生回数を総大当り回数として算出する総大当り回数集計手段５３ａ−１と、所定期間における大当り状態のそれぞれについて連続状態か、初当り状態かを判定する大当り状態判定手段５３ａ−２と、初当り１回あたりの平均大当り数を平均連続回数として遊技機毎及び機種毎に算出する平均連続回数算出手段５３ａ−４と、機種別平均連続回数に対する遊技機別平均連続回数の比率を連続指数として算出する連続指数算出手段５３ａ−５とを有した。【選択図】    図２
2007267789.tif 000002
【特許請求の範囲】
【請求項１】
遊技用装置から遊技関連情報を収集する遊技用管理装置であって、
大当り状態か否かを示す大当り信号を前記遊技用装置から受信する受信手段と、
前記大当り信号にもとづき、遊技機毎に、所定の区間における大当り状態の発生回数を総大当り回数として集計する総大当り回数集計手段と、
前記所定の区間における大当り状態のそれぞれについて連続状態か又は初当り状態かを判定する大当り状態判定手段と、
この大当り状態判定手段で判定された初当り状態の大当りを集計する、初当り回数集計手段と、
前記総大当り回数集計手段で集計された総大当り回数と、初当り回数集計手段で集計された初当り回数と、を用いて、初当り１回あたりの大当り数を平均連続回数として遊技機毎及び機種毎に算出する平均連続回数算出手段と、
前記機種毎の平均連続回数に対する前記遊技機毎の平均連続回数の比率を遊技機毎の連続指数として算出する、連続指数算出手段とを有した
ことを特徴とする遊技用管理装置。
【請求項２】
前記受信手段が、前記遊技用装置から図柄変動に関する信号をスタート信号として受信し、
前記大当り状態判定手段が、
前記スタート信号にもとづいて、大当り状態の終了から次の大当り状態の発生までの間におけるスタート回数をカウントし、このカウント値が閾値以下であった場合に連続状態と判定し、それ以外の状態及び営業開始から最初の大当りを初当り状態と判定する
ことを特徴とする請求項１記載の遊技用管理装置。
【請求項３】
遊技用装置から遊技関連情報を収集する遊技用管理装置を備えた遊技場管理システムであって、
前記遊技用管理装置が、請求項１又は２記載の遊技用管理装置からなる
ことを特徴とする遊技場管理システム。
【発明の詳細な説明】
【技術分野】
【０００１】
本発明は、遊技場に設置される、複数の遊技用装置から遊技に関連する情報（遊技関連情報）を収集する遊技用管理装置、及び、この遊技用管理装置を備えた遊技場管理システムに関し、特に、その遊技機の連続大当りの発生が、機種の平均からどれだけ偏っているかを表す連続指数を算出可能とすることにより、遊技機の特性についての判断ミスを大幅に減らすとともに、多様な遊技機の詳細な調整や機種入替の資料とするのに好適な遊技用管理装置及び遊技場管理システムに関する。
【背景技術】
【０００２】
最近の遊技場に設置されている遊技機の遊戯性が多様になり、大多数の遊技機が特定の変動図柄で次回大当りが高い確率で発生する（連続大当り状態）確率変動機能を有するものである。
また、平均大当り発生確率（特賞確率）も機種によって大きな差異が見られる。
特に、確率変動機能や時間短縮機能によって高い確率で大当りが連続的に発生する連チャン状態は、遊技者の関心事であり、遊技場管理にとっても重要な課題になっている。
【０００３】
連チャンの状況を把握するためや、遊技者の関心事である連チャン状況の演出表示のために、従来から連チャンに対する管理方法が提案されている。
例えば、連チャン発生状況の時系列的な発生回数、連チャン率、連チャン中の遊技データの出力、遊技機に対応する表示装置への連チャン履歴の表示などである（例えば、特許文献１〜３参照。）。
【０００４】
ところで、大当り発生確率の低い（例えば、１／４９９）遊技機が混在する遊技場においては、営業日毎の管理データが大きく変動して、従来の比較的安定した遊技機に比べて予測が困難で、遊技機の調整に戸惑うことがある。
また、遊技情報の結果から遊技機の性能を評価する指標として、初当りスタート回数である特賞確率（大当り確率）がある。営業日毎または数日毎の実績特賞確率と遊技機のメーカ標準収束値とから予測し調整を行っていた。
【特許文献１】特開平７−００８６１８号公報
【特許文献２】特開２００２−３０１２５６号公報
【特許文献３】特開２００４−２７５６００号公報
【発明の開示】
【発明が解決しようとする課題】
【０００５】
しかしながら、最近、確率変動（確変）機能のある遊技機で確変突入の偏りが大きく、連続して確変に突入し、連続大当りが継続することがあり、同機種の遊技機間で営業日遊技データに差が生じることになる。
【０００６】
従来の実績特賞確率の算出では、確変時の遊技データを加味しないため、誤った判断をして調整をしてしまうことがあった。
例えば、営業日データで２つの遊技機Ａ、Ｂで両遊技機とも、出玉率１１０％、大当り回数１８回、スタート回数２０００回、であっても次のような特賞確率の違いが発生する。
【０００７】
＜通常状態（初当り）回数及び確変回数＞
遊技機Ａ  ：  通常状態（初当り）回数１０回、確変８回
遊技機Ｂ  ：  通常状態（初当り）回数１回、確変１７回
＜初当り１回当りスタート回数（特賞確率）＞
遊技機Ａ  ２０００／１０＝２００（回）      ・・・（式１）
遊技機Ｂ  ２０００／１＝２０００（回）      ・・・（式２）
つまり、遊技機Ａと遊技機Ｂとは出玉率等は同じであるものの、遊技機Ａが甘く、遊技機Ｂが辛いとの誤判断が生じ易い。
【０００８】
本発明は、上記の事情にかんがみなされたものであり、それらデータの見かけ上の偏りを指数で表し、遊技機毎の連続大当り状態による遊技データの偏りを容易に理解でき、営業計画に沿った遊技機間の差異と予測を容易にする遊技用管理装置及び遊技場管理システムの提供を目的とする。
【課題を解決するための手段】
【０００９】
この目的を達成するため、本発明の遊技用管理装置は、遊技用装置から遊技関連情報を収集する遊技用管理装置であって、大当り状態か否かを示す大当り信号を遊技用装置から受信する受信手段と、大当り信号にもとづき、遊技機毎に、所定の区間における大当り状態の発生回数を総大当り回数として集計する総大当り回数集計手段と、所定の区間における大当り状態のそれぞれについて連続状態か又は初当り状態かを判定する大当り状態判定手段と、この大当り状態判定手段で判定された初当り状態の大当りを集計する、初当り回数集計手段と、総大当り回数集計手段で集計された総大当り回数と、初当り回数集計手段で集計された初当り回数と、を用いて、初当り１回あたりの大当り数を平均連続回数として遊技機毎及び機種毎に算出する平均連続回数算出手段と、機種毎の平均連続回数に対する遊技機毎の平均連続回数の比率を遊技機毎の連続指数として算出する、連続指数算出手段とを有した構成としてある。
【００１０】
遊技用管理装置をこのような構成とすると、遊技機の特性に関する判断ミスを大幅に減らすことができる。
従来、遊技機の特性は、連続大当りの履歴情報と関連する遊技情報など複数の情報から把握していた。ところが、そのように参照すべき情報の数が多くなると、その特性を的確に判断することが困難となっていた。
これに対し、本発明においては、遊技機毎の大当りの連続の偏りを連続指数という一つの指数により表すことができる。このため、その連続大当りの偏りの度合いが明確になり、判断ミスを大幅に減少させることができる。
さらに、連続指数の日毎の推移と、適当な区間の累積指数とを監視し、多様な特性を有する機種に対して、翌日の偏りの予測から営業計画に沿った翌日の遊技の調整に資することができる。
また、連続指数と稼動データ（稼動率、客滞率、台粗利、玉粗利等）との関連を監視することで、遊技機の特性を把握して、多様な遊技機の詳細な調整や、機種入替の資料とすることができる。
【００１１】
また、本発明の遊技用管理装置は、受信手段が、遊技用装置から図柄変動に関する信号をスタート信号として受信し、大当り状態判定手段が、スタート信号にもとづいて、大当り状態の終了から次の大当り状態の発生までの間におけるスタート回数をカウントし、このカウント値が閾値以下であった場合に連続状態と判定し、それ以外の状態及び営業開始から最初の大当りを初当り状態と判定する構成とすることができる。
遊技用管理装置をこのような構成とすると、次の大当り状態が連続状態であるか初当り状態であるかの判定を、容易かつ確実に行うことができる。
【００１２】
また、本発明の遊技場管理システムは、遊技用装置から遊技関連情報を収集する遊技用管理装置を備えた遊技場管理システムであって、遊技用管理装置が、請求項１又は２記載の遊技用管理装置からなる構成とすることができる。
遊技場管理システムをこのような構成とすれば、この遊技場管理システムに備えられた遊技用装置において、上述した種々の効果を得ることができる。
したがって、本発明によれば、遊技機毎の連続大当り状態による遊技データの偏りを容易に理解でき、営業計画に沿った遊技機間の差異と予測を容易にすることができる。
【発明の効果】
【００１３】
以上のように、本発明によれば、営業日毎の区間データによる一つの連続指数から連続大当りの偏りの度合いが明確になる。このため、連続大当りの履歴情報と関連する遊技情報など複数の情報から遊技機の特性を把握する従来の方法と比較して、判断ミスを激減できる。
また、その連続指数の日毎の推移と、適当な区間の累積指数とを監視し、多様な特性を持つ機種に対して、翌日の偏りの予測から営業計画に沿った翌日の遊技の調整に資することができる。
さらに、連続指数と各種の稼動データとの関連を監視することで、遊技機の特性を把握して、多様な遊技機の詳細な調整や、機種入替の資料とすることができる。
【発明を実施するための最良の形態】
【００１４】
以下、本発明に係る遊技用管理装置及び遊技場管理システムの好ましい実施形態について、図面を参照して説明する。
【００１５】
［第一実施形態］
（遊技場管理システム）
まず、本発明の遊技用管理装置及び遊技場管理システムの第一実施形態について、図１を参照して説明する。
同図は、本実施形態の遊技場管理システムの構成を示すブロック図である。
【００１６】
同図に示すように、遊技場管理システム１は、遊技機１０と、玉貸機２０と、台コントローラ３０と、島コントローラ４０と、遊技用管理装置５０とを備えている。
遊技機１０には、パチンコ機，スロットマシン，アレンジボール機，雀球機等、玉やメダルなどの所定の遊技媒体を使用して遊技を行う各種の遊技機が含まれる。
【００１７】
玉貸機２０には、遊技球を貸し出す遊技球貸出機や、メダルを貸し出すメダル貸出機がある。
なお、本実施形態において、「遊技用装置」には遊技機１０や玉貸機２０が含まれる。ただし、遊技用装置は、それら遊技機１０等に限るものではなく、遊技場に設置される種々の装置、例えば、遊技媒体計数機などを含む。
【００１８】
台コントローラ３０は、一又は二以上の遊技機１０等から遊技に関連する所定の信号を入力し、その入力した信号に対して所定の処理を行い、島コントローラ４０を介して遊技用管理装置５０へ送信する。
島コントローラ４０は、一又は二以上の台コントローラ３０から送信されてきた所定の信号を遊技用管理装置５０へ送信する。
なお、台コントローラ３０や島コントローラ４０は、省略することもできる。
【００１９】
（遊技用管理装置の構成）
次に、遊技用管理装置の構成について、図２を参照して説明する。
遊技用管理装置５０ａは、プログラム制御により動作するコンピュータであって、同図に示すように、通信手段５１と、記憶手段５２と、演算手段５３ａと、制御手段５４と、表示手段５５と、入力手段５６と、出力手段５７とを有している。
【００２０】
通信手段（受信手段）５１は、台コントローラ３０や島コントローラ４０を介して遊技用装置から所定の信号を受信する。その所定の信号には、例えば、大当り信号、図柄変動信号（スタート信号）、アウト信号（投入数信号）などが含まれる。
なお、大当り信号とは、遊技機１０が現在大当り状態であるか否かを示す、所定の長さ以上の信号をいう。具体的には、例えば、ＲＢ信号やＢＢ信号などが含まれる。ただし、ごく短時間大当りの振る舞いをして確変や時短に突入する突然確変、突然時短は大当りから除外する。
【００２１】
記憶手段５２は、遊技用管理装置５０の有する各種機能に関するデータやプログラムなどを記憶する。また、記憶手段５２は、通信手段５１で受信された各種の信号にもとづき集計・算出された種々の遊技関連情報を記憶する。この遊技関連情報には、例えば、大当り状態に関連する情報、図柄変動に関連する情報、遊技媒体の投入に関連する情報、その他各種遊技情報が含まれる。
【００２２】
演算手段５３ａは、本発明に関連する判定、集計、演算手段で、総大当り回数集計手段５３ａ−１と、大当り状態判定手段５３ａ−２と、初当り回数集計手段５３ａ−３と、平均連続回数算出手段５３ａ−４と、連続指数算出手段５３ａ−５と、補正特賞確率算出手段５３ａ−６とを有している。
総大当り回数集計手段５３ａ−１は、大当り信号にもとづき、遊技機毎に、所定の区間（所定の期間）における大当り状態の発生回数を総大当り回数として集計する。
所定の区間は、遊技場の管理者等により任意に定めることができるが、例えば、一営業日、一営業日における任意の時間帯、数営業日、一週、数週などとすることができる。
【００２３】
大当り状態判定手段５３ａ−２は、所定の区間における大当り状態のそれぞれについて連続状態か初当り状態かを判定する。
この判定の方法には、例えば、スタート回数を用いる方法、アウト信号回数を用いる方法、所要時間を用いる方法がある。
【００２４】
スタート回数を用いる方法とは、スタート信号にもとづいて、大当り状態の終了から次の大当り状態の発生までの間におけるスタート回数をカウントし、このカウント値が閾値以下であった場合は連続状態、それ以外の状態及び営業開始から最初の大当りを初当り状態と判定する方法である。
【００２５】
アウト信号回数を用いる方法とは、アウト信号にもとづいて、大当り状態の終了から次の大当り状態の発生までの間におけるアウト数をカウントし、このカウント値が閾値以下であった場合は連続状態、それ以外の状態及び営業開始から最初の大当りを初当り状態と判定する方法である。
【００２６】
所要時間を用いる方法とは、大当り状態の終了から次の大当り状態の発生までの所要時間が閾値以下であった場合は連続状態、それ以外の状態及び営業開始から最初の大当りを初当り状態と判定する方法である。
なお、大当り終了後、確変又は時短の状態で発生した大当りは連続大当りとしてもよい。
【００２７】
ここで、図３を用いて連続状態及び初当り状態の判定の具体例を説明する。なお、連続状態等の判定には、スタート回数を用いるものとする。
まず、営業開始から最初の大当り状態（１）までの期間は、初当り状態（１）と判定される。
大当り状態（１）の終了から次の大当り状態（２）の発生までの間については、この間のスタート回数をカウントし、このカウント値が所定数以下の場合には連続大当り状態と判定し、一方、所定数以上の場合には初当りと判定する。同図においては、カウント値は所定数以上であり、初当り状態（２）と判定される。
【００２８】
大当り状態（２）の終了から次の大当り状態（３）の発生までの間については、この間のスタート回数のカウント値が所定数以下であるため、連続状態であると判定される。
なお、終了する大当りが確変及び時短でないとき、次の大当りまでの期間も通常状態とすることができる。ただし、この場合でも、スタート数が所定数以下のときは連続大当りと判定する。
【００２９】
初当り回数集計手段５３ａ−３は、所定の区間における初当り状態の回数を初当り回数として集計する。
【００３０】
平均連続回数算出手段５３ａ−４は、遊技機毎の平均連続回数（遊技機別平均連続回数）と機種毎の平均連続回数（機種別平均連続回数）とを算出する。
ここで、平均連続回数とは、通常状態（初当り）１回当りの大当り平均連続回数をいう。そして、遊技機別平均連続回数とは、当該遊技機における所定区間での初当り１回あたりの大当り平均連続回数をいう。さらに、機種別平均連続回数とは、同一機種の全遊技機についての平均連続回数をいう。
【００３１】
遊技機別平均連続回数は、次式を用いて算出できる。
遊技機別平均連続回数＝（当該遊技機における所定区間での総大当り回数）／（当該遊技機における所定区間での初当り回数）
・・・（式３）
この式３において、「当該遊技機における所定区間での総大当り回数」は、総大当り回数集計手段５３ａ−１で集計されたものである。また、「当該遊技機における所定区間での初当り回数」は、初当り回数集計手段５３ａ−３で集計されたものである。
【００３２】
機種別平均連続回数は、次式を用いて算出できる。
機種別平均連続回数＝（当該機種における各遊技機の総大当り回数の総和）／（当該機種における各遊技機の初当り回数の総和）
・・・（式４）
なお、機種別平均連続回数は、遊技機メーカの基準値を採用することもできる。
【００３３】
連続指数算出手段５３ａ−５は、機種別平均連続回数に対する遊技機別平均連続回数の比率を遊技機別連続指数として算出する。すなわち、遊技機別連続指数は、次式を用いて算出できる。
遊技機別連続指数＝遊技機別平均連続回数／機種別平均連続回数
・・・（式５）
このように算出された遊技機別連続指数は、当該遊技機における連続大当りの発生が、機種の平均からどれだけ偏っているかを表す指数となる。
この連続指数は、例えば営業日単位で集計、算出することができる。
【００３４】
補正特賞確率算出手段５３ａ−６は、連続指数算出手段５３ａ−５で算出された遊技機別連続指数を用いて遊技機毎に補正特賞確率を算出する。
特賞確率は、初当り１回当りのスタート回数として算出できるが、本実施形態においては、初当り１回当りのスタート回数を連続指数で除算した値を補正特賞確率として算出する。これを式で表すと、次のようになる。
補正特賞確率＝（スタート回数／初当り回数）／連続指数
・・・（式６）
なお、この補正特賞確率の算出例については、後記の「補正特賞確率の算出の具体例」で詳述する。
【００３５】
制御手段５４は、遊技場管理装置５０の有する各種機能を動作させるために、所定の処理を行い、また、遊技場管理装置５０の構成各部を制御する。
また、制御手段５４は、通信手段５１で受信された信号をデータに変換して記憶手段５２へ送り記憶させることができる。
【００３６】
表示手段５５は、液晶ディスプレイ（ＬＣＤ）、ブラウン管（ＣＲＴ）、プラズマディスプレイなどのうちいずれか一以上で構成されており、所定のデータを画面表示することができる。
また、表示手段５５は、図４に示すように、遊技機毎に算出された連続指数と各種の稼動データとをまとめたデータ管理表を表示することができる。このデータ管理表については、後記の「連続指数及び稼動データ管理表」で説明する。
【００３７】
入力手段５６は、複数のボタンやキーなどで構成されており、遊技場管理装置５０の有する各種機能の実行に関する命令や各種データ等を入力する。
出力手段５７は、遊技場管理装置５０の周辺機器（例えば、印刷装置や外部記憶装置など）との間でデータの送受信を行う。
【００３８】
（遊技用管理装置の動作）
次に、本実施形態の遊技用管理装置の動作について、図５を参照して説明する。
同図は、本実施形態の遊技用管理装置の動作を示すフローチャートである。
営業時間中においては、遊技機１０を含む遊技用装置から遊技用管理装置５０ａへ遊技関連情報が送信される。
遊技用管理装置５０ａにおいては、それら遊技関連情報にもとづいて、遊技機１０の特定把握と調整のための遊技関連データが生成され、記憶手段５２へ送られて記憶される。本実施形態では遊技機別に、総大当り回数集計手段５３ａ−１で集計された総大当り回数を記憶し、さらに、初当り回数集計手段５３ａ−３で集計された初当り回数を記憶する（遊技関連情報の集計、ステップ１０）。
【００３９】
営業時間終了後、遊技用管理装置５０ａの平均連続回数算出手段５３ａ−４において、遊技機毎に記憶された、所定区間での総大当り回数と初当り回数から、遊技機別平均連続回数が、式３を用いて算出されるとともに、機種別平均連続回数が、式４を用いて算出される（ステップ１１）。
さらに、連続指数算出手段５３ａ−５において、連続指数が、式５を用いて、遊技機毎に、営業日単位で算出される（ステップ１２）。
その後、補正特賞確率算出手段５３ａ−６において、式６を用いて、遊技機毎に、連続指数を用いた補正特賞確率が算出される（ステップ１３）。
【００４０】
（補正特賞確率の算出の具体例）
次に、前述した遊技機Ａ，Ｂを具体例に挙げて、本実施形態における補正特賞確率の算出方法を説明する。
前述したように、遊技機Ａ、Ｂの営業日データは、いずれも出玉率１１０％、大当り回数１８回、スタート回数２０００回であったものとする。また、遊技機Ａは、初当り回数が１０回、確変が８回であるものとする。さらに、遊技機Ｂは、初当り回数が１回、確変が１７回であるものとする。
【００４１】
ここで、遊技機Ａ，Ｂの機種平均が大当り回数３６回、初当り回数１１回とすると、当該機種の大当り平均連続回数は、次式により算出される。
当該機種の大当り平均連続回数＝３６／１１＝３．２７
・・・（式７）
【００４２】
次いで、遊技機毎の大当り平均連続回数と連続指数は、次のようになる。
遊技機Ａの大当り平均連続回数＝１８／１０＝１．８
・・・（式８）
遊技機Ｂの大当り平均連続回数＝１８／１＝１８  ・・・（式９）
遊技機Ａの大当り連続指数＝１．８／３．２７＝０．５５
・・・（式１０）
遊技機Ｂの大当り連続指数＝１８／３．２７＝５．５０
・・・（式１１）
【００４３】
そして、これら算出した連続指数を用いて遊技機Ａ，Ｂの補正特賞確率を算出すると、次のようになる。
遊技機Ａの補正特賞確率＝（２０００／１０）／０．５５＝３６３
・・・（式１２）
遊技機Ｂの補正特賞確率＝（２０００／１）／５．５＝３６３
・・・（式１３）
これら式１２、式１３に示すように、遊技機Ａ，Ｂの補正特賞確率は同じで、大当りの連続の偏りが大きいことがわかる。
【００４４】
（連続指数及び稼動データ管理表）
次に、遊技用管理装置の表示手段に表示されるデータ管理表について、図４を参照して説明する。
上述したように、本実施形態の遊技用管理装置５０ａにおいては、連続指数が算出される。
連続指数は、数日間の積算指数を算出すれば１に収斂する。したがって、絶えず営業日の前後数日の推移を監視することで、営業計画に沿った翌日の調整に活かすことができる。さらに、この連続指数と稼動データとの関係を監視することによって、連続大当りの偏りと営業成績の関係を把握できる。
【００４５】
そこで、図４に示すようなデータ管理表を遊技用管理装置５０ａの表示手段５５に表示させることができる。
このデータ管理表には、例えば、台番、連続指数（本日、前日、２日前、累計など）、稼動率、客滞率、差数、粗利などを表示することができる。
ここで、稼動率とは、一日の営業時間の内、その遊技機１０が稼動した割合をいう。客滞率とは、持ち玉遊技の比率で、大当り発生時の差玉／売上玉により表される値をいう。差数とは、賞球に対する打ち込み玉の比率をいうが、打ち込み玉もしくは賞球を表示してもよい。粗利とは、その遊技機でどれだけの利益があったかを示す。
前日、２日前、３日前、４日前は、それぞれ連続指数の推移を示し、累計は、前４日間の累計指数を示す。
この表を用いて、例えば、連続指数とその他のデータの関係を監視することにより、遊技機の人気、機種の特性等から機種入替の資料とすることができる。
【００４６】
なお、同表においては、予め定められた特定の範囲内にある数値を強調して表示させることができる。強調表示の例としては、例えば、色付き文字で表示したり、その升目（コア）を網掛けなどで装飾したりすることなどが挙げられる。
また、特定の範囲とは、例えば、「連続指数が６．００以上」や「粗利が○○円以上」などのように、平均よりも大きく偏った数値を含む範囲をいう。
そのような数値を強調して表示することにより、その数値が特徴的な値であること（例えば、連続指数であれば、その遊技機について大当りの連続の偏りが大きいこと）を示すことができる。
【００４７】
以上説明したように、本実施形態の遊技用管理装置及び遊技場管理システムによれば、遊技機毎の大当りの連続の偏りを連続指数として表すことができるため、この連続指数や稼動データを監視することで、遊技機毎の連続大当り状態による遊技データの偏りを容易に理解でき、しかも営業計画に沿った遊技機間の差異と予測を容易にすることができる。
【００４８】
［第二実施形態］
次に、本発明の遊技用管理装置及び遊技場管理システムの第二の実施形態について、図６を参照して説明する。
同図は、本実施形態の遊技用管理装置の構成を示すブロック図である。
本実施形態は、第一実施形態と比較して、連続指数の算出に用いるデータが相違する。すなわち、第一実施形態では、機種毎の平均連続回数に対する遊技機毎の平均連続回数を連続指数としていたのに対し、本実施形態では、機種毎の平均連続獲得数に対する遊技機毎の平均連続獲得数を連続指数とする。他の構成要素は第一実施形態と同様である。なお、獲得数とは、大当り中の差数であっても、賞払出し数であってもよい。
したがって、図６において、図１等と同様の構成部分については同一の符号を付して、その詳細な説明を省略する。
【００４９】
図６に示すように、遊技用管理装置５０ｂは、通信手段５１と、記憶手段５２と、演算手段５３ｂと、制御手段５４と、表示手段５５と、入力手段５６と、出力手段５７とを有している。
ここで、演算手段５３ｂは、総大当り中獲得数集計手段５３ｂ−１と、大当り状態判定手段５３ｂ−２と、初当り回数集計手段５３ｂ−３と、平均連続獲得数算出手段５３ｂ−４と、連続指数算出手段５３ｂ−５と、補正特賞確率算出手段５３ｂ−６とを有している。
【００５０】
総大当り中獲得数集計手段５３ｂ−１、大当り状態判定手段５３ｂ−２、初当り回数集計手段５３ｂ−３は、それぞれ第一実施形態における総大当り回数集計手段５３ａ−１、大当り状態判定手段５３ａ−２、初当り回数集計手段５３ａ−３と同様の機能を有している。
【００５１】
平均連続獲得数算出手段５３ｂ−４は、遊技機毎の平均連続獲得数と機種毎の平均連続獲得数とを算出する。
平均連続獲得数とは、初当り１回当りの獲得数をいう。そして、遊技機別平均連続獲得数とは、当該遊技機における所定区間での初当り１回あたりの平均大当り中獲得数をいう。さらに、機種別平均連続獲得数とは、同一機種の全遊技機についての平均連続獲得数をいう。
【００５２】
それら平均連続獲得数を算出するために、平均連続獲得数算出手段５３ｂ−４は、以下の演算を行う。
まず、遊技機別に所定区間において、例えば、すべての大当り状態でのセーフ信号数と、そのすべての大当り状態でのアウト信号数とを算出する。そして、その算出したセーフ信号数からアウト信号数を減算して得られた差数を総獲得数とする。この獲得数に確変、時短状態中の差数を含めてもよい。
【００５３】
次いで、その算出した総獲得数と、初当り回数集計手段５３ｂ−３で集計された遊技機毎の初当り回数と、を用いて、遊技機別平均連続獲得数を算出する。すなわち、遊技機別平均連続獲得数は、次式を用いて算出できる。
遊技機別平均連続獲得数＝（当該遊技機における所定区間での総獲得数）／（当該遊技機における所定区間での初当り回数）
・・・（式１４）
【００５４】
続いて、機種別平均連続獲得数を算出する。この機種別平均連続獲得数は、次式を用いて算出できる。
機種別平均連続獲得数＝（当該機種における遊技機毎の総大当り中獲得数の総和）／（当該機種における遊技機毎の初当り回数の総和）
・・・（式１５）
【００５５】
連続指数算出手段５３ｂ−５は、機種別平均連続獲得数に対する遊技機別平均連続獲得数の比率を遊技機別連続指数として算出する。すなわち、遊技機別連続指数は、次式を用いて算出できる。
連続指数＝遊技機別平均連続獲得数／機種別平均連続獲得数
・・・（式１６）
このように算出された遊技機別連続指数は、当該遊技機における連続大当りの発生が、機種の平均からどれだけ偏っているかを表す指数となる。
この連続指数は、例えば営業日単位で集計、算出することができる。
【００５６】
補正特賞確率算出手段５３ｂ−６は、連続指数算出手段５３ｂ−５で算出された遊技機別連続指数を用いて遊技機毎に補正特賞確率を算出する。これを式で表すと、次のようになる。
補正特賞確率＝（スタート回数／初当り回数）／連続指数
・・・（式１７）
なお、この補正特賞確率の算出例については、後記の「補正特賞確率の算出の具体例」で詳述する。
【００５７】
（遊技用管理装置の動作）
次に、本実施形態の遊技用管理装置の動作について、図７を参照して説明する。
同図は、本実施形態の遊技用管理装置の動作を示すフローチャートである。
同図に示すステップ２０の動作は、図５に示すステップ１０の動作と同様であるが、総大当り回数の集計記憶が、総大当り中獲得数の集計記憶になる。
【００５８】
営業終了後、平均連続獲得数算出手段５３ｂ−４において、記憶された所定区間における、遊技機毎の総大当り中獲得数と、初当りの回数とから、遊技機別平均連続獲得数が、式１４を用いて算出されるとともに、機種別平均連続獲得数が、式１５を用いて算出される（ステップ２１）。
さらに、連続指数算出手段５３ｂ−５において、連続指数が、式１６を用いて、遊技機毎に、営業日単位で算出される（ステップ２２）。
その後、補正特賞確率算出手段５３ｂ−６において、式１７を用いて、遊技機毎に、連続指数を用いた補正特賞確率が算出される（ステップ２３）。
【００５９】
（補正特賞確率の算出の具体例）
次に、前述した遊技機Ａ，Ｂを具体例に挙げて、本実施形態における補正特賞確率の算出方法を説明する。
前述したように、遊技機Ａ、Ｂの営業日データは、いずれも出玉率１１０％、大当り回数１８回、スタート回数２０００回であったものとする。また、遊技機Ａは、初当り回数が１０回、確変が８回であるものとする。さらに、遊技機Ｂは、初当り回数が１回、確変が１７回であるものとする。
【００６０】
ここで、遊技機Ａ，Ｂの機種平均が大当り回数３６回、初当り回数１１回として、大当り１回当り獲得数が２００とすれば、当該機種の大当り平均連続獲得数は、次式により算出される。
当該機種の大当り平均連続獲得数＝（２００×３６）／１１＝６５４
・・・（式１８）
【００６１】
次いで、遊技機毎の大当り平均連続獲得数と連続指数は、次のようになる。
遊技機Ａの大当り平均連続獲得数＝３６００／１０＝３６０
・・・（式１９）
遊技機Ｂの大当り平均連続獲得数＝３６００／１＝３６００
・・・（式２０）
遊技機Ａの大当り連続指数＝３６０／６５４＝０．５５
・・・（式２１）
遊技機Ｂの大当り連続指数＝３６００／６５４＝５．５０
・・・（式２２）
【００６２】
そして、これら算出した連続指数を用いて遊技機Ａ，Ｂの補正特賞確率を算出すると、次のようになる。
遊技機Ａの補正特賞確率＝（２０００／１０）／０．５５＝３６３
・・・（式２３）
遊技機Ｂの補正特賞確率＝（２０００／１）／５．５＝３６３
・・・（式２４）
これら式２３、式２４に示すように、遊技機Ａ，Ｂの補正特賞確率は同じで、大当りの連続の偏りが大きいことがわかる。
【００６３】
以上説明したように、本実施形態の遊技用管理装置及び遊技場管理システムによれば、遊技機毎の平均連続獲得数と機種毎の平均連続獲得数とを算出し、これらの比率から遊技機別連続指数を算出することができる。そして、このような構成によっても、第一実施形態と同様に、遊技機毎の大当りの連続の偏りを連続指数として表すことができる。このため、この連続指数や稼動データを監視することで、遊技機毎の連続大当り状態による遊技データの偏りを容易に理解でき、しかも、営業計画に沿った遊技機間の差異と予測を容易にすることができる。
【００６４】
なお、以上の各実施形態における遊技場管理システムは、プログラムに制御されたコンピュータにより実現することができる。プログラムは、例えば、記録媒体により提供される。記録媒体としては、たとえば、磁気ディスク，光ディスク，半導体メモリ，その他コンピュータで読み取り可能な任意の手段を使用することができる。
また、記録媒体に記録されたプログラムは、記録媒体を直接コンピュータに装着して当該コンピュータに読み込ませることができ、また、通信回線を介してコンピュータに読み込ませるようにしても良い。
【００６５】
以上、本発明の遊技用管理装置及び遊技場管理システムの好ましい実施形態について説明したが、本発明に係る遊技用管理装置及び遊技場管理システムは上述した実施形態にのみ限定されるものではなく、本発明の範囲で種々の変更実施が可能であることは言うまでもない。
例えば、上述した実施形態では、遊技場管理システムにおいて遊技用管理装置を一つのみ備えた構成としてあるが、遊技用管理装置は、一つに限るものではなく、複数備えることもできる。
【産業上の利用可能性】
【００６６】
本発明は、大当り状態に関連するデータの管理に関する発明であるため、大当り状態に関連するデータを管理する装置や機器に利用可能である。
【図面の簡単な説明】
【００６７】
【図１】本発明の第一実施形態における遊技場管理システムの構成を示すブロック図である。
【図２】第一実施形態の遊技用管理装置の構成を示すブロック図である。
【図３】大当り信号の入力例を示す波形図である。
【図４】連続指数及び稼動データを示す図表である。
【図５】本発明の第一実施形態における遊技用管理装置の動作を示すフローチャートである。
【図６】第二実施形態の遊技用管理装置の構成を示すブロック図である。
【図７】本発明の第二実施形態における遊技用管理装置の動作を示すフローチャートである。
【符号の説明】
【００６８】
１  遊技場管理システム
１０  遊技機
５０ａ、５０ｂ  遊技用管理装置
５１ａ、５１ｂ  通信手段
５２ａ、５２ｂ  記憶手段
５３ａ、５３ｂ  演算手段
５３ａ−１  総大当り回数集計手段
５３ｂ−１  総大当り中獲得数集計手段
５３ａ−２、５３ｂ−２  大当り状態判定手段
５３ａ−３、５３ｂ−３  初当り回数集計手段
５３ａ−４  平均連続回数算出手段
５３ｂ−４  平均連続獲得数算出手段
５３ａ−５、５３ｂ−５  連続指数算出手段
５３ａ−６、５３ｂ−６  補正特賞確率算出手段
５４ａ、５４ｂ  制御手段
５５ａ、５５ｂ  表示手段
【図１】
2007267789.tif 000003
【図２】
2007267789.tif 000004
【図３】
2007267789.tif 000005
【図４】
2007267789.tif 000006
【図５】
2007267789.tif 000007
【図６】
2007267789.tif 000008
【図７】
2007267789.tif 000009